(57)【要約】【課題】  聴覚障害者や耳の遠いお年寄り同士であっても相互間の情報交換を容易かつ簡単に行うことのできる双方向表示システムを提供する。【解決手段】  送信側マイクロホン２１および送信側ディスプレイ２２を具備する送信装置２と、受信側マイクロホン３１およびＴＶ３２を具備する受信装置３と、送信装置２および受信装置３が接続される制御装置４とを有し、制御装置４は、送信側マイクロホン２１に入力があった場合にはその音声情報を画像表示可能なデータに変換してＴＶ３２の画面に単独もしくは重畳表示させ、受信側マイクロホン３１に入力があった場合にはその音声情報を画像表示可能なデータに変換して送信側ディスプレイ２２の画面に単独もしくは重畳表示させるように構成する。【選択図】      図１
2005086240.tif 000002
【特許請求の範囲】
【請求項１】
送信側マイクロホンおよび送信側ディスプレイを具備する送信装置と、
受信側マイクロホンおよび受信側ディスプレイを具備する受信装置と、
前記送信装置および受信装置が接続される制御装置とを有しており、
前記受信側ディスプレイがテレビジョンであり、
前記制御装置は、前記送信側マイクロホンに入力があった場合にはその音声情報を画像表示可能なデータに変換して前記受信側ディスプレイの画面に単独もしくは重畳表示させ、前記受信側マイクロホンに入力があった場合にはその音声情報を画像表示可能なデータに変換して前記送信側ディスプレイの画面に単独もしくは重畳表示させるように構成されていることを特徴とする双方向表示システム。
【請求項２】
前記制御装置にビデオテープレコーダが接続されており、このビデオテープレコーダの出力が前記制御装置を介して前記テレビジョンに伝達可能に構成されていることを特徴とする請求項１に記載の双方向表示システム。
【請求項３】
前記受信装置に受信側カメラが設けられており、
前記制御装置は、前記受信側カメラによる画像を前記送信側ディスプレイに表示可能に構成されていることを特徴とする請求項１または請求項２に記載の双方向表示システム。
【請求項４】
前記送信装置に呼出し装置が設けられており、
前記受信装置に視覚告知装置が設けられており、
前記呼出し装置は、押しボタンと、この押しボタンにより起動する呼出し音発生機と、この呼出し音発生機により発生した呼出し音が入力されるピックアップマイクロホンとを具備しており、
前記制御装置は、前記呼出し音発生装置が起動した場合には前記視覚告知装置を起動するとともに、前記テレビジョンの画面に予め設定された画像を単独もしくは重畳表示させるように構成されていることを特徴とする請求項１ないし請求項３のいずれか１項に記載の双方向表示システム。
【発明の詳細な説明】
【技術分野】
【０００１】
本発明は、送信側の人物と受信側の人物との相互間で、それぞれの音声を画像に変換して双方向表示するのに好適な双方向表示システムに関する。
【背景技術】
【０００２】
従来、表示システムの一つとして、聴覚障害者が来訪者に対して、視覚による確認だけでなく、来訪者の用件を確認でき、簡単な応答が、対面せずにできるテレビドアホン装置が提案されている。このテレビドアホン装置は、玄関に設置され、筐体に配設されたスピーカ、前記筐体の前面に配向された通話用マイクおよび来訪者を撮像するカメラを有する玄関子機と、室内に設置され、前記玄関子機にラインを介して接続されて前記玄関子機と相互に通話するレシーバ、マイクおよび前記カメラによって撮像された来訪者を映し出すモニターを有する室内親機とを備え、前記室内親機は、前記玄関子機からの呼出により、呼出音を鳴動する呼出スピーカ、視覚で確認する呼出表示灯、前記玄関子機からの通話を音声認識し、前記来訪者の用件を文字として表示する文字表示部、前記文字表示部で表示された用件に応答するため予め決めておいた音声合成音を選択する応答選択ボタンを備えている（例えば、特許文献１参照）。
【０００３】
また、従来の表示システムの他の例として、聴覚障害者や耳の遠いお年寄り、呼出し音源から遮断された部屋、あるいは音楽やテレビの音量が大きいなどのように、呼び出し音が聞こえにくい場合であっても、来訪者がチャイム（呼び鈴）を押したことをより確実に認知できるようにするとともに、専用モニターなどを用いることなく通常使用している一般的なテレビジョン（ＴＶ）を用いることで簡易かつ安価に構築可能とした呼出し表示装置が提案されている（例えば、特許文献２参照）。
【０００４】
【特許文献１】特開平１１−１８７１３３号公報
【特許文献２】登録実用新案第３０９２８６３号公報
【発明の開示】
【発明が解決しようとする課題】
【０００５】
しかしながら、前述した従来の表示システムにおいては、来訪者が聴覚障害者や耳の遠いお年寄りである場合には、来訪者に対する応答ができないという問題点があった。
【０００６】
また、聴覚障害者の講演、会議および会合などにおいては、発言者の発言内容を複数の人手によってパーソナルコンピュータなどを用いて入力し、スクリーンに表示するようにしていため、発言内容をスクリーンに表示するまでに時間がかかり、リアルタイムで情報交換を行うことができないという問題点があった。
【０００７】
なお、音声認識して文字表示する装置もあるが、装置が少なくともパーソナルコンピュータレベルの大掛かりな装置になってしまい、手軽さには縁遠いものになってしまうという問題点があった。
【０００８】
そこで、聴覚障害者や耳の遠いお年寄り同士であっても相互間の情報交換を容易かつ簡単に行うことのできる双方向表示システムが求められている。
【０００９】
本発明はこれらの点に鑑みてなされたものであり、聴覚障害者や耳の遠いお年寄り同士であっても相互間の情報交換を容易かつ簡単に行うことのできる双方向表示システムを提供することを目的とする。
【課題を解決するための手段】
【００１０】
前述した目的を達成するため本発明に係る双方向表示システムの特徴は、送信側マイクロホンおよび送信側ディスプレイを具備する送信装置と、受信側マイクロホンおよび受信側ディスプレイを具備する受信装置と、前記送信装置および受信装置が接続される制御装置とを有しており、前記受信側ディスプレイがテレビジョンであり、前記制御装置は、前記送信側マイクロホンに入力があった場合にはその音声情報を画像表示可能なデータに変換して前記受信側ディスプレイの画面に単独もしくは重畳表示させ、前記受信側マイクロホンに入力があった場合にはその音声情報を画像表示可能なデータに変換して前記送信側ディスプレイの画面に単独もしくは重畳表示させるように構成されている点にある。そして、このような構成を採用したことにより、送信側の人物の音声情報を受信側ディスプレイに表示でき、受信側の人物の音声情報を送信ディスプレイに表示できるので、送信側の人物と受信側の人物との相互間での情報交換をリアルタイムで容易に行うことができるとともに、受信側ディスプレイをテレビジョンとすることで、既存の設備を兼用使用できるので、低コスト化を容易に図ることができる。
【００１１】
また、本発明の双方向表示システムにおいては、前記制御装置にビデオテープレコーダが接続されており、このビデオテープレコーダの出力が前記制御装置を介して前記テレビジョンに伝達可能に構成されていることが好ましい。そして、このような構成を採用したことにより、テレビジョンを改造することなく、送信側の人物の音声情報をテレビジョンの画面に容易かつ確実に表示させることができる。
【００１２】
さらに、本発明の双方向表示システムにおいては、前記受信装置に受信側カメラが設けられており、前記制御装置は、前記受信側カメラによる画像を前記送信側ディスプレイに表示可能に構成されていることが好ましい。そして、このような構成を採用したことにより、送信側の人物に受信側の人物を容易に認識させることができる。
【００１３】
さらにまた、本発明の双方向表示システムにおいては、前記送信装置に呼出し装置が設けられており、前記受信装置に視覚告知装置が設けられており、前記呼出し装置は、押しボタンと、この押しボタンにより起動する呼出し音発生機と、この呼出し音発生機により発生した呼出し音が入力されるピックアップマイクロホンとを具備しており、前記制御装置は、前記呼出し音発生装置が起動した場合には前記視覚告知装置を起動するとともに、前記テレビジョンの画面に予め設定された画像を単独もしくは重畳表示させるように構成されていることが好ましい。そして、このような構成を採用したことにより、受信側ディスプレイが電源オフの非稼動状態であっても送信側の人物の存在を受信側の人物が視覚判断することができる。さらに、視覚告知装置を受信側ディスプレイとは異なる場所に設置することで、受信側ディスプレイのない場所でも送信側の人物の存在を受信側の人物が視覚判断することができる。
【発明の効果】
【００１４】
本発明に係る双方向表示システムによれば、聴覚障害者や耳の遠いお年寄り同士であっても相互間の情報交換を容易かつ簡単に行うことができるなどの極めて優れた効果を奏する。
【発明を実施するための最良の形態】
【００１５】
以下、本発明を図面に示す実施形態により説明する。
【００１６】
図１および図２は本発明に係る双方向表示システムの実施形態を示すものであり、図１は全体構成の要部を示す概略構成図、図２は制御装置のブロック図である。
【００１７】
本実施形態は、本発明の双方向表示システムを住宅の玄関および室内に配置されるドアホンなどの呼出し装置に用いたものを例示している。
【００１８】
図１に示すように、本実施形態の双方向表示システム１は、送信装置２と、受信装置３と、制御装置４とを有している。これらの装置２，３，４には、人手による操作などによって図示しない電源からの電力が供給可能とされている。
【００１９】
本実施形態の送信装置２は、送信側マイクロホン２１、送信側ディスプレイ２２および呼出し装置２３を有している。
【００２０】
前記送信側マイクロホン２１は、受信側の人物へ伝達する送信側の人物である来訪者の入力情報としての音声情報を電気信号に変換して出力するものであり、従来公知の各種のものから設計コンセプトなどの必要に応じて選択使用されるようになっている。
【００２１】
前記送信側ディスプレイ２２は、受信側の人物から来訪者へ伝達する入力情報を表示するためのものであり、液晶表示パネル、有機ＥＬパネルなどの従来公知の各種のものから設計コンセプトなどの必要に応じて選択使用されるようになっている。また、送信側ディスプレイ２２による表示としては、モノクロ表示、マルチカラー表示、フルカラー表示などから装置の仕様や設計コンセプトなどの必要に応じて選択されるようになっている。
【００２２】
前記呼出し装置２３は、来訪者により操作される押しボタン２３１と、この押しボタン２３１により起動するブザー、ベル、チャイム、アラームなどの呼出し音発生機２３２と、この呼出し音発生機２３２により発生した呼出し音が入力されるピックアップマイクロホン２３３とを具備している。この呼出し装置２３は、少なくとも後述する視覚告知装置３５の起動に用いられるようになっている。なお、呼出し装置２３は、装置の仕様や設計コンセプトなどの必要に応じて設ければよい。
【００２３】
前記送信装置２は、送信側マイクロホン２１、送信側ディスプレイ２２、呼出し装置２３の押しボタン２３１が玄関先などの建物の室外に配設され、呼出し装置２３の呼出し音発生機２３２およびピックアップマイクロホン２３３が室内に配設されるようになっている。
【００２４】
本実施形態の受信装置３は、受信側マイクロホン３１、受信側ディスプレイとしての既存のＴＶ（テレビジョン）３２、既存のＶＴＲ（ビデオテープレコーダ）３３、受信側カメラ３４および視覚告知装置３５を有している。
【００２５】
前記受信側マイクロホン３１は、受信側の人物から来訪者へ伝達する入力情報の一つとしての受信側の音声を電気信号に変換して出力するものであり、従来公知の各種のものから設計コンセプトなどの必要に応じて選択使用されるようになっている。
【００２６】
前記ＴＶ３２は、受信側の人物が通常時にはテレビ放送あるいはビデオテープに記録された画像（映像）および音声を楽しむためのものであり、来訪者があった場合には来訪者からの情報を画面に単独もしくは重畳表示することができるようになっている。
【００２７】
前記ＶＴＲ３３は、アンテナ３６で受信したテレビ電波（放送電波）の画像および音声、あるいはビデオテープに記録された画像および音声を選択して出力するためのものであり、テレビあるいはビデオのそれぞれの画像および音声は、制御装置４を介してＴＶ３２に伝達可能に構成されている。
【００２８】
なお、ＶＴＲ３３は、システムの仕様や設計コンセプトなどの必要に応じて設けられるものである。したがって、ＶＴＲ３３を設けない場合には、制御装置４の内部にチューナー回路部を設けることがＴＶ３２を改造せずにすむという意味で好ましい。勿論、ＶＴＲ３３のかわりに別途にチューナーを設ける構成としてもよい。
【００２９】
前記受信側カメラ３４は、受信側の人物から来訪者へ伝達する入力情報の他の一つとしての受信側の画像を電気信号に変換して出力するものであり、受信側マイクロホン３１のそばに近接配置、あるいは受信側マイクロホン３１と一体化することが、受信側マイクロホン３１への音声の入力とともに受信側の人物の画像を来訪者に表示することができるという意味で好ましい。この受信側カメラ３４としては、ビデオカメラ、デジタルカメラなどの従来公知の各種のものから設計コンセプトなどの必要に応じて選択使用されるようになっている。
【００３０】
前記視覚告知装置３５は、来訪者が前記呼出し装置２３の押しボタン２３１を操作することで起動して、受信側の人物に来訪者があることをＴＶ３２とは別途に視覚によって認識させるためのものであり、装置の仕様や設計コンセプトなどの必要に応じて設けられるようになっている。この視覚告知装置３５としては、回転灯、点滅灯、表示灯などの人物に視覚認識させることのできる従来公知の各種のものから設計コンセプトなどの必要に応じて選択使用されるようになっている。また、視覚告知装置３５は、受信側の人物の必要とする設置箇所に応じて単数もしくは複数を設置することができる。
【００３１】
前記制御装置４は、来訪者と受信側の人物との相互間で情報の交換を双方向で行うことができるように各部の動作の制御を司るものであり、この制御装置４には、送信装置２および受信装置３が伝送路を介して接続されるようになっている。なお、伝送路としては、電線、光ケーブルなどの有線ケーブルや、電波、赤外線などの信号を空間伝送できる無線を用いることができる。本実施形態の伝送路としては、構成が簡単で安価な有線ケーブルが用いられている。
【００３２】
図２に示すように、本実施形態の制御装置４は、第１入力情報処理部４１と、第２入力情報処理部４２と、第１出力情報処理部４３と、第２出力情報処理部４４と、総合制御部４５とを有している。
【００３３】
前記第１入力情報処理部４１は、送信側マイクロホン２１の出力端子に接続された第１入力用音声認識回路部４１１と、第１入力用音声認識回路部４１１の出力を入力とする第１入力用信号変換回路部４１２と、第１入力用信号変換回路部４１２の出力を入力とする第１入力用信号認識回路部４１３と、第１入力用信号認識回路部４１３の出力を入力とする第１入力用画像表示命令回路部４１４とを有している。そして、第１入力用画像表示命令回路部４１４の出力は、総合制御部４５に入力されるようになっている。
【００３４】
前記第２入力情報処理部４２は、ＶＴＲ３３の画像出力端子に接続された第２入力用画像信号処理第１回路部４２１と、第２入力用画像信号処理第１回路部４２１の出力を入力とする第２入力用画像信号処理第２回路部４２２と、第２入力用画像信号処理第２回路部４２２の出力および第２入力用キャラクタジェネレータ４２３の出力との両出力を入力とする第２入力用画像重畳処理回路部４２４と、第２入力用画像信号処理第１回路部４２１の出力および第２入力用画像重畳処理回路部４２４の出力の両出力を入力とする第２入力用画像表示回路部４２５と、第２入力用画像表示回路部４２５の出力を入力とする第２入力用画像信号処理第３回路部４２６とを有している。そして、第２入力用画像信号処理第３回路部４２６の出力端子はＴＶ３２の画像入力端子に接続されている。
【００３５】
また、前記第２入力情報処理部４２は、ＶＴＲ３３の音声出力端子に接続された第２入力用音声処理回路部４２７を有している。この第２入力用音声処理回路部４２７の出力端子はＴＶ３２の音声入力端子に接続されている。
【００３６】
したがって、第１入力情報処理部４１および第２入力情報処理部４２は、総合制御部４５の制御指令によって、通常時にはＴＶ３２の画面にテレビあるいはビデオの画像を表示（出力）するとともに、ＴＶ３２のスピーカからテレビあるいはビデオの音声を出力し、送信側マイクロホン２１および呼出し装置２３に入力があった場合には、送信側マイクロホン２１に入力された来訪者の入力情報である音声情報を画像表示可能なデータに変換してＴＶ３２の画面に単独もしくは重畳表示することができるようになっている。
【００３７】
なお、ＶＴＲ３３のかわりにＴＶチューナを用いる場合には、第２入力用音声処理回路部４２７および第２入力用画像信号処理第１回路部４２１は、ＴＶチューナに接続されることになる。
【００３８】
前記第１出力情報処理部４３は、受信側マイクロホン３１の出力端子に接続された第１出力用音声認識回路部４３１と、第１出力用音声認識回路部４３１の出力を入力とする第１出力用信号変換回路部４３２と、第１出力用信号変換回路部４３２の出力を入力とする第１出力用信号認識回路部４３３と、第１出力用信号認識回路部４３３の出力を入力とする第１出力用画像表示命令回路部４３４とを有している。そして、第１出力用画像表示命令回路部４３４の出力は、総合制御部４５に入力されるようになっている。この第１出力情報処理部４３は、設計コンセプトなどの必要に応じて前記第１入力情報処理部４１によって兼用することが可能である。これにより、小型化、低コスト化を図ることができる。
【００３９】
前記第２出力情報処理部４４は、受信側カメラ３４の画像出力端子に接続された第２出力用画像信号処理第１回路部４４１と、第２出力用画像信号処理第１回路部４４１の出力を入力とする第２出力用画像信号処理第２回路部４４２と、第２出力用画像信号処理第２回路部４４２および第２出力用キャラクタジェネレータ４４３の両者の出力を入力とする第２出力用画像重畳処理回路部４４４と、第２出力用画像信号処理第１回路部４４１および第２出力用画像重畳処理回路部４４４の両者の出力を入力とする第２出力用画像表示回路部４４５と、第２出力用画像表示回路部４４５の出力を入力とする第２出力用映像信号処理第３回路部４４６とを有している。そして、第２出力用映像信号処理第３回路部４４６の出力端子は送信側ディスプレイ２２の画像入力端子に接続されている。この第２出力情報処理部４４は、設計コンセプトなどの必要に応じて前記第２入力情報処理部４２によって兼用することが可能である。これにより、小型化、低コスト化を図ることができる。
【００４０】
したがって、第１出力情報処理部４３および第２出力情報処理部４４は、総合制御部４５の制御指令によって、通常時には送信側ディスプレイ２２の画面に受信側カメラ３４による画像を必要に応じて表示（出力）し、受信側マイクロホン３１に入力があった場合には、受信側マイクロホン３１に入力された受信側の人物の入力情報である音声情報を画像表示可能なデータに変換して送信側ディスプレイ２２の画面に単独もしくは重畳表示することができるようになっている。
【００４１】
前記総合制御部４５は、少なくともＣＰＵと、適宜な容量のＲＯＭ、ＲＡＭなどにより形成されたメモリ（ともに図示せず）とを有している。この総合制御部４５は、前記各回路部と電気的に接続されており、メモリに記録されているプログラムおよびデータに基づいて各回路部の動作制御を実行することができるようになっている。
【００４２】
前記メモリには、双方向表示を行う際の前記各処理部４１，４２，４３，４４の動作制御を行うのに必要なプログラム、電源投入時の初期化処理を行うプログラムなどの各種のプログラムや、表示を実行する際に必要なデータなどの各種のデータなども記憶されるようになっている。
【００４３】
前記双方向表示を行うためのプログラムとしては、少なくとも送信側マイクロホン２１に入力があった場合には、その入力情報である音声情報を画像表示可能なデータに変換してＴＶ３２のテレビ画面に単独もしくは重畳表示させ、受信側マイクロホン３１に入力があった場合には、その入力情報である音声情報を画像表示可能なデータに変換して送信側ディスプレイ２２の画面に単独もしくは重畳表示させるプログラムを例示できる。
【００４４】
また、受信側カメラ３４による画像を送信側ディスプレイ２２に表示可能とするプログラムを例示できる。
【００４５】
さらに、呼出し装置２３が起動した場合、視覚告知装置３５を起動するとともに、ＴＶ３２の画面に予め設定された画像を単独もしくは重畳表示させるプログラムを例示できる。
【００４６】
さらにまた、ＴＶ３２および送信側ディスプレイ２２のそれぞれの画面に待受け画面を表示させるプログラムを例示できる。
【００４７】
つぎに、前述した構成からなる本実施形態の作用について説明する。
【００４８】
まず、本実施形態の双方向表示システム１の動作の概略について図３のフローチャートにより説明する。
【００４９】
図３は本発明に係る双方向表示システム１の動作の実施形態の概略を説明するフローチャートである。
【００５０】
本実施形態の双方向表示システム１の動作は、図３に示すように、ステップＳＴ01において双方向表示システム１の初期化処理が行われ、双方向表示システム１を情報の双方向表示が可能な待機状態として、つぎのステップＳＴ02に進行する。
【００５１】
前記ステップＳＴ01における双方向表示システム１の初期化処理は、双方向表示システム１１に対し、人手による操作などによって図示しない電源からの電力を各部に供給することにより行う。この時、双方向表示システム１のＴＶ３２およびＶＴＲ３３を除く各部は、総合制御部４５に記憶されているプログラムおよびデータに基づいて初期化処理が行われる。この初期化処理により、ＴＶ３２の画面は、テレビあるいはビデオを見ることのできる通常状態となり、送信側ディスプレイ２２は、受信側カメラ３４による画像を表示可能な待機状態となる。
【００５２】
すなわち、ＶＴＲ３３から出力される音声信号は、第２入力情報処理部４２の第２入力用音声処理回路をそのまま通過して室内側の人物の人手によるＴＶ３２の音量操作により予め設定された音量でＴＶ３２のスピーカから出力される。
【００５３】
また、待機状態におけるＶＴＲ３３から出力される画像信号は、第２入力情報処理部４２の第２入力用画像信号処理第１回路部４２１、第２入力用画像表示回路部４２５および第２入力用画像信号処理第３回路部４２６をこの順に通過してＴＶ３２の画面に出力される。
【００５４】
この時、ＴＶ３２の画面を待受け状態とすることも可能である。例えば、ＶＴＲ３３のチャンネルが所定の空チャンネルとされた場合、ＶＴＲ３３から出力される映像信号を第２入力情報処理部４２において青一色の映像などの所定の待受け映像としてＴＶ３２の画面に表示させることができる。
【００５５】
また、受信側カメラ３４から出力される映像信号は、第２出力情報処理部４４の第２出力用画像信号処理第１回路部４４１、第２出力用画像表示回路部４４５および第２入力用画像信号処理第３回路部４２６をこの順に通過して送信側ディスプレイ２２の画面に出力される。
【００５６】
なお、送信側ディスプレイ２２の画面を待受け状態とすることも可能である。例えば、受信側カメラ３４の出力をスイッチによってオンオフ可能とし、受信側カメラ３４に受信側の人物の人手によるオフ操作、あるいはオン操作から一定時間が経過した場合には、受信側カメラ３４から出力される画像信号を第２出力情報処理部４４において青一色の映像あるいは受信側カメラ３４の映像のみを非表示状態とするなどの所定の待受け映像として送信側ディスプレイ２２の画面に表示させることができる。これにより、受信側の人物のプライバシーの保護と省エネルギー化とを図ることができる。
【００５７】
ついで、ステップＳＴ02において、送信装置２への来訪者からの情報の入力が有るか否かを判断し、送信装置２への来訪者からの情報の入力がないＮＯの場合には、ステップＳＴ02の判断がＹＥＳになるまで待機する。
【００５８】
前記ステップＳＴ02の判断が、来訪者からの情報の入力が有るＹＥＳの場合には、つぎのステップＳＴ03に進行し、来訪者の入力情報を処理して受信装置３に表示し、つぎのステップＳＴ04に進行する。
【００５９】
ついで、ステップＳＴ04において、来訪者からの情報の入力が終了したか否かを判断し、来訪者からの情報の入力が終了していないＮＯの場合には、前のステップＳＴ03に戻り、ステップＳＴ04の判断が来訪者からの情報の入力が終了したＹＥＳになるまで、来訪者の入力情報を順次処理して受信装置３に表示する。
【００６０】
前記ステップＳＴ04の判断が、来訪者からの情報の入力が終了したＹＥＳの場合には、つぎのステップＳＴ05に進行する。
【００６１】
なお、ステップＳＴ04における来訪者からの情報の入力が終了したか否かの判断は、例えば押しボタン２３１の押圧操作および送信側マイクロホン２１への音声入力の両者が所定時間を経過しても行われない場合に、来訪者からの情報の入力が終了したと判断する。したがって、押しボタン２３１の押圧操作の再操作および送信側マイクロホン２１への音声入力の再入力の何れかが所定時間内に行われた場合には、来訪者からの情報の入力が終了せずに、来訪者からの情報の入力が継続していると判断する。
【００６２】
ついで、ステップＳＴ05において、受信装置３への受信側の人物による情報の入力が有るか否かを判断し、受信装置３への受信側の人物からの入力情報がないＮＯの場合には、受信装置３に表示している来訪者からの情報を消滅し、ステップＳＴ02に戻り待機する。
【００６３】
前記ステップＳＴ05の判断が、受信側の人物からの情報の入力があるＹＥＳの場合には、つぎのステップＳＴ06に進行し、受信側の人物の入力情報を処理して送信装置２に表示し、つぎのステップＳＴ07に進行する。
【００６４】
ついで、ステップＳＴ07において、受信側の人物からの情報の入力が終了したか否かを判断し、受信側の人物からの情報の入力が終了していないＮＯの場合には、前のステップＳＴ06に戻り、ステップＳＴ07の判断が受信側の人物からの情報の入力が終了したＹＥＳになるまで、受信側の人物の入力情報を順次処理して送信装置２に表示する。
【００６５】
前記ステップＳＴ07の判断が、受信側の人物からの情報の入力が終了したＹＥＳの場合には、送信装置２に表示している受信側の人物からの情報を消滅し、ステップＳＴ02に戻り待機する。
【００６６】
なお、ステップＳＴ07における受信側の人物からの情報の入力が終了したか否かの判断は、例えば受信側マイクロホン３１への音声入力の再入力が所定時間を経過しても行われない場合に、受信側の人物からの情報の入力が終了したと判断する。したがって、受信側マイクロホン３１への音声入力の再入力が所定時間内に行われた場合には、受信側の人物からの情報の入力が終了せずに、受信側の人物からの情報の入力が継続していると判断する。
【００６７】
ここで、来訪者からの情報の入力およびこの情報の表示についてさらに説明する。
【００６８】
本実施形態の双方向表示システム１における来訪者からの情報の入力は、来訪者による呼出し装置２３の押しボタン２３１の押圧操作と、来訪者による送信側マイクロホン２１への音声入力とがある。
【００６９】
一方の来訪者による押しボタン２３１への押圧操作に基づく受信側の人物への情報の表示は、視覚告知装置３５の起動による表示と、予め定められた固定文字をＴＶ３２の画面の所定位置に重畳表示する表示との２種類の表示があり、両者が同時に実施されることになる。
【００７０】
前記視覚告知装置３５の起動による表示は、押しボタン２３１の押圧操作にともなって呼出し音発生機２３２により発生する呼出し音をピックアップマイクロホン２３３に入力し、ピックアップマイクロホン２３３の出力信号を総合制御部４５に送出し、このピックアップマイクロホン２３３の出力信号を受けた総合制御部４５が、視覚告知装置３５を起動、例えば表示灯を点灯することにより実施される。
【００７１】
前記固定文字のＴＶ３２の画面への入力情報の重畳表示は、押しボタン２３１の押圧操作にともなって呼出し音発生機２３２により発生した呼出し音をピックアップマイクロホン２３３により受信し、ピックアップマイクロホン２３３の出力信号を受けた総合制御部４５が、ピックアップマイクロホン２３３の出力信号を第２入力情報処理部４２によって処理することで、ＴＶ３２の画面の所定位置に「お客さんですよ」などという予め設定された固定文字を重畳表示することにより実施される。
【００７２】
前記第２入力情報処理部４２における処理は、ピックアップマイクロホン２３３の出力信号を受けた総合制御部４５が、予め設定された固定文字を表示するのに必要な文字データとその表示位置のデータなどを第２入力用キャラクタジェネレータ４２３から第２入力用画像重畳処理回路部４２４に出力することで開始する。この固定文字を表示するのに必要な画像信号は、第２入力用画像重畳処理回路部４２４により、ＶＴＲ３３から出力される画像信号と合成され、ＴＶ３２の画面の所定位置に固定文字が重畳表示されることになる。なお、ＴＶ３２の画面に固定文字のみを単独で表示するようにしてもよい。
【００７３】
他方の来訪者による送信側マイクロホン２１への音声入力に基づく受信側の人物への情報の表示は、来訪者が発した音声を画像表示可能なデータに変換してＴＶ３２の画面の所定位置に映像として重畳表示することにより実施される。この重畳表示は、送信側マイクロホン２１から出力される音声信号を第１入力情報処理部４１および第２入力情報処理部４２によって処理することにより実施される。
【００７４】
前記第１入力情報処理部４１による処理は、送信側マイクロホン２１から出力される音声信号を第１入力用音声認識回路部４１１において入力順に言語認識してデータ信号とすることにより開始する。このデータ信号は、第１入力用信号変換回路部４１２において表示可能な予め定義されている電気信号に変換して第１入力用信号認識回路部４１３に出力され、第１入力用信号認識回路部４１３において何の言語かが判断され（例えば「あ」）、判断結果が電気信号として第１入力用画像表示命令回路部４１４に出力される。そして、第１入力用画像表示命令回路部４１４は、言語および言語の順位を処理し、その内容を総合制御部４５へ出力する。
【００７５】
ついで、総合制御部４５は、入力された信号に対し、第２入力情報処理部４２の第２入力用キャラクタジェネレータ４２３には言語の文字指示および表示順位の指令を、第２入力用画像表示回路部４２５には表示方法の指令をそれぞれ出力する。
【００７６】
前記第２入力情報処理部４２の第２入力用キャラクタジェネレータ４２３は、総合制御部４５の指令により指定された言語キャラクタを順位付けして表示用の映像信号として第２入力用画像重畳処理回路部４２４に出力する。
【００７７】
また、ＶＴＲ３３から出力された映像信号は、第２入力用画像信号処理第１回路部４２１において電圧レベルの調整が行われた後、第２入力用画像信号処理第２回路部４２２において適正値に増幅され、その後、第２入力用画像重畳処理回路部４２４に出力される。
【００７８】
前記第２入力用キャラクタジェネレータ４２３および第２入力用画像重畳処理回路部４２４から第２入力用画像重畳処理回路部４２４に入力されたそれぞれの映像信号は、第２入力用画像重畳処理回路部４２４において、ＶＴＲ３３から出力された映像を背景映像とし、この背景映像に送信側マイクロホン２１に入力された言語の文字表示を重ねて表示する合成映像信号として第２入力用画像表示回路部４２５に出力される。
【００７９】
この合成映像信号は、第２入力用画像表示回路部４２５において、総合制御部４５から送出された制御指令に基づいて、定められた表示方法の形式に処理された後、第２入力用画像信号処理第３回路部４２６において表示のための電圧レベルなどの再調整が行われてからＴＶ３２に出力される。これにより、ＴＶ３２の画面には、ＶＴＲ３３から出力された映像の所定位置に来訪者が発した言語の画像、例えば文字列が重畳表示される。
【００８０】
したがって、本実施形態の双方向表示システム１によれば、来訪者の入力情報を画像表示可能なデータに変換してＴＶ３２の画面に重畳表示することができる。
【００８１】
なお、ＴＶ３２の画面には、来訪者が発した言語の映像のみを単独で表示するようにしてもよい。
【００８２】
また、来訪者からの入力情報の受信装置３への表示は、所定の時間内に押しボタン２３１の押圧操作の再操作、あるいは送信側マイクロホン２１への音声入力がなされない場合、ＴＶ３２の画面に重畳表示されている来訪者の入力情報に基づく表示を消滅するとともに、視覚告知装置３５の起動を停止、例えば点灯している表示灯を消灯するようにするとよい。
【００８３】
つぎに、受信側の人物からの情報の入力およびこの情報の表示についてさらに説明する。
【００８４】
本実施形態の双方向表示システム１における受信側の人物からの情報の入力は、受信側の人物が送信側マイクロホン２１へ音声入力することにより実施される。この時、受信側の人物の判断によって受信側カメラ３４の映像を送信側ディスプレイ２２に表示することができる。これにより、来訪者に受信側の人物を認識させることができる。
【００８５】
そして、受信側の人物による送信側マイクロホン２１への音声入力に基づく来訪者への情報の表示は、受信側の人物が発した音声を画像表示可能なデータに変換して送信側ディスプレイ２２の画面の所定位置に画像として重畳表示することにより実施される。
【００８６】
前記送信側ディスプレイ２２の画面への入力情報の重畳表示は、受信側マイクロホン３１から出力される音声信号を第１出力情報処理部４３および第２出力情報処理部４４によって処理することにより実施される。
【００８７】
前記第１出力情報処理部４３による処理は、受信側マイクロホン３１から出力される音声信号を第１出力用音声認識回路部４３１において入力順に言語認識してデータ信号とすることにより開始する。このデータ信号は、第１出力用信号変換回路部４３２において表示可能な予め定義されている電気信号に変換して第１出力用信号認識回路部４３３に出力され、第１出力用信号認識回路部４３３において何の言語かを判断され（例えば「あ」）、判断結果が電気信号として第１出力用画像表示命令回路部４３４に出力される。そして、第１出力用画像表示命令回路部４３４は、言語および言語の順位を処理し、その内容を総合制御部４５へ出力する。
【００８８】
ついで、総合制御部４５は、入力された信号に対し、第２出力情報処理部４４の第２出力用キャラクタジェネレータ４４３には言語の文字指示および表示順位の指令を、第２出力用画像表示回路部４４５には表示方法の指令をそれぞれ出力する。
【００８９】
ついで、第２入力情報処理部４２の第２出力用キャラクタジェネレータ４４３は、総合制御部４５の指令により指定された言語キャラクタを順位付けして表示用の映像信号として第２出力用画像重畳処理回路部４４４に出力する。
【００９０】
また、受信側カメラ３４から出力された映像信号は、第２出力用画像信号処理第１回路部４４１において電圧レベルの調整が行われた後、第２出力用画像信号処理第２回路部４４２において適正値に増幅され、その後、第２出力用画像重畳処理回路部４４４に出力される。
【００９１】
前記第２出力用キャラクタジェネレータ４４３および第２出力用画像重畳処理回路部４４４から第２出力用画像重畳処理回路部４４４に入力されたそれぞれの映像信号は、第２出力用画像重畳処理回路部４４４において、受信側カメラ３４から出力された映像を背景映像とし、この背景映像に受信側マイクロホン３１に入力された言語の文字表示を重ねて表示する合成映像信号として第２出力用画像表示回路部４４５に出力される。
【００９２】
この合成映像信号は、第２出力用画像表示回路部４４５において、総合制御部４５から送出された制御指令に基づいて、定められた表示方法の形式に処理された後、第２出力用映像信号処理第３回路部４４６において表示のための電圧レベルなどの再調整が行われてから送信側ディスプレイ２２の画面に出力される。これにより、送信側ディスプレイ２２の画面には、受信側カメラ３４から出力された画像の所定位置に受信側の人物が発した言語の画像、例えば文字列が重畳表示される。
【００９３】
したがって、本実施形態の双方向表示システム１によれば、受信側の人物の入力情報を画像表示可能なデータに変換して送信側ディスプレイ２２の画面に重畳表示することができる。
【００９４】
なお、送信側ディスプレイ２２の画面には、受信側の人物が発した言語の映像のみを単独で表示することができる。
【００９５】
また、受信側の人物からの入力情報の送信装置２への表示は、所定の時間内に受信側マイクロホン３１への音声入力がなされない場合、送信側ディスプレイ２２の画面に重畳表示されている受信側の人物の入力情報に基づく表示を消滅するようにするとよい。
【００９６】
このように、本実施形態の双方向表示システム１によれば、送信側の人物である来訪者の音声情報を受信側ディスプレイとしてのＴＶ３２に表示でき、受信側の人物の音声情報を送信ディスプレイに表示できるので、来訪者と受信側の人物との相互間での情報交換をリアルタイムで容易に行うことができる。
【００９７】
また、本実施形態の双方向表示システム１によれば、受信側ディスプレイをＴＶ３２とすることで、既存の設備を兼用使用できるので、低コスト化を容易に図ることができる。
【００９８】
また、本実施形態の双方向表示システム１によれば、ＶＴＲ３３を用いることで、ＴＶ３２を改造することなく、ＴＶ３２の画面に送信側の音声情報を容易かつ確実に表示させることができる。
【００９９】
さらに、本実施形態の双方向表示システム１によれば、送信側の人物としての来訪者に受信側の人物を容易に認識させることができる。
【０１００】
さらにまた、本発明の双方向表示システム１においては、呼出し装置２３および視覚告知装置３５が設けられているので、ＴＶ３２が電源オフの非稼動状態であっても送信側の人物である来訪者のあることを受信側の人物が視覚判断することができる。この時、視覚告知装置３５をＴＶ３２とは異なる場所に設置することで、ＴＶ３２のない場所でも来訪者のあることを受信側の人物が視覚判断することができる。
【０１０１】
したがって、本実施形態の双方向表示システム１によれば、聴覚障害者や耳の遠いお年寄り同士であっても相互間の情報交換を容易かつ簡単に行うことができる。
【０１０２】
なお、本発明は、複数の送信装置を設けることができ、聴覚障害者の講演における情報交換や、会議および会合などの多人数の相互間の情報交換や、福祉用防災システムにおける情報伝達および交換などに使用することが可能である。この場合、呼出し装置および視覚告知装置は、必ずしも必要としない。
【０１０３】
また、本発明は、前記実施形態に限定されるものではなく、必要に応じて種々変更することができる。
【図面の簡単な説明】
【０１０４】
【図１】本発明に係る双方向表示システムの実施形態の全体構成の要部を示す概略構成図
【図２】図１の要部のブロック図
【図３】本発明に係る双方向表示システムの実施形態における動作の概略を示すフローチャート
【符号の説明】
【０１０５】
１  双方向表示システム
２  送信装置
３  受信装置
４  制御装置
２１  送信側マイクロホン
２２  送信側ディスプレイ
２３  呼出し装置
３１  受信側マイクロホン
３２  ＴＶ
３３  ＶＴＲ
３４  受信側カメラ
３５  視覚告知手段
４１  第１入力情報制御部
４２  第２入力情報制御部
４３  第１出力情報処理部
４４  第２出力情報処理部
４５  総合制御部
２３１  押しボタン
２３２  呼出し音発生器
２３３  ピックアップマイクロホン
【図１】
2005086240.tif 000003
【図２】
2005086240.tif 000004
【図３】
2005086240.tif 000005